(57)【要約】      （修正有）【課題】クロージャを支持線を利用して電柱周辺に安定的に設置する。【解決手段】クロージャ１の両側面に突設した腕杆３のそれぞれに上支持片４の下端部と下支持片５の上端部を接続手段６によって接続する。上端部から前記下端部方向に次第に下降傾斜させた前記上支持片４の前記上端部を電柱間に架設した上支持線７に第二の接続手段６Ａによって接続する。また、下端部から前記上端部方向に次第に上昇傾斜させた前記下支持片５の前記下端部を、前記上支持線７の下側にして前記電柱間に架設した下支持線７´に第三の接続手段６Ｂによって接続する。【選択図】図１
2004274969.tif 000002
【特許請求の範囲】
【請求項１】
クロージャの両側面に突設した腕杆のそれぞれに上支持片の下端部と下支持片の上端部を接続手段によって接続し、上端部から前記下端部方向に次第に下降傾斜させた前記上支持片の前記上端部を電柱間に架設した上支持線に第二の接続手段によって接続すると共に、下端部から前記上端部方向に次第に上昇傾斜させた前記下支持片の前記下端部を、前記上支持線の下側にして前記電柱間に架設した下支持線に第三の接続手段によって接続した、クロージャの設置装置。
【発明の詳細な説明】
【０００１】
【産業上の利用分野】
本発明は、光ケーブル等を分岐するために接続端子函の近傍に位置させて前記分岐作業を能率的に行うために電柱周辺に設置する、クロージャ（ワイヤー等の分岐用用品を保管した）の設置装置に関するものである。
【０００２】
【従来の技術】
電柱間に架設した支持線にクロージャを巻回して上方に突出させた吊金具の上端部を前記支持線に接続、支持させるようにした構造のものがある（例えば、特許文献１）。
【０００３】
【特許文献１】
特開２００３−９３７２号公報（第４頁、図１０）
【０００４】
【発明が解決しようとする課題】
前記従来例は、クロージャを支持線の直下に配して支持する構造になっているため、支持線に沿ってハンガーを介して支持させたケーブルや前記ハンガーの存在によって支持作業が煩雑となるばかりでなく、該ケーブル等が存在しないときには、当該支持線に沿うケーブルの支持作業が煩雑ともなる。また、クロージャと他の機器（接続端子函）を互いに隣接させて支持線に支持させる場合は、該支持線に沿って並べて配置する必要があるため、一方がいわば作業台となる電柱から離開することとなり、離開する分作業性が低減する。
【０００５】
本発明は、斯様な、支持線に直下にクロージャを配して支持するようにした従来例の欠点に着目して創案したものである。
【０００６】
【課題を解決するための手段】
クロージャの両側面に突設した腕杆のそれぞれに上支持片の下端部と下支持片の上端部を接続手段によって接続し、上端部から前記下端部方向に次第に下降傾斜させた前記上支持片の前記上端部を電柱間に架設した上支持線に第二の接続手段によって接続すると共に、下端部から前記上端部方向に次第に上昇傾斜させた前記下支持片の前記下端部を、前記上支持線の下側にして前記電柱間に架設した下支持線に第三の接続手段によって接続した構成とする。
【０００７】
【発明の実施の形態】
図面は、本発明に係るクロージャの設置装置の一実施形態を示し、図１は正面図、図２は図１の一部拡大欠截図、図３は図２の一部欠截側面図、図４は一部の斜視図である。
【０００８】
図中、１はクロージャで、クロージャ１は接続端子函２を利用してのケーブルの分岐作業に必要な、ワイヤー等の分岐作業用器を納めて電柱Ｄ近傍に設置し、必要に応じて（ケーブル分岐作業をする際）当該クロージャ１から前記分岐作業用品を取り出して利用できるようにしたものである。
【０００９】
このクロージャ１の両側面に突設した腕杆３，３のそれぞれには上下の支持片４，５を接続手段６によって接続してある。
【００１０】
接続手段６は、前記上支持片４の主体部片４ａの下端に設けた接続部片４ｂと、前記下支持片５の主体部片５ａの上端に設けた接続部片５ｂを、電柱間に架設した上下の支持線７，７´と直交する方向に重ね合わせ、上支持片４の接続部片４ｂより前方側に配したした支持片５の接続部片５ｂと該接続部片５ｂの前方側に配した挟持片８の挟持部片８ａとの間に前記腕杆３を介在させ、挟持片８の組付部片８ｂ側から該組付部片８ｂを通じて互いに重なり合う前記接続部片４ｂ，５ｂに接続ボルト９を貫通させ、上支持片４の接続部片４ｂより突出する該ボルト９先端にナット１０を螺合締付けて構成したものである。すなわち、前記上下の支持片４，５は接続部片４ｂ，５ｂにおいて互いに接続され、かつ、クロージャ１の腕杆３に取付けられる（接続される）。
【００１１】
なお、前記挟持片８は、一端側に前記接続ボルト９貫通孔を設けた平板状の組付部片８ｂの前記一端側に円曲状にして前記挟持部片８ａを連設して構成し、挟持部片８ａの円曲状内面を利用して前記腕杆３を係合し、組付部片８ｂの前記一端側に対応する他の一端側に設けた突子８ｂ´を下支持片５の前記接続部片５ｂに接触させることにより、接続ボルト９とナット１０による締付けによって挟持部片８ｂ側が接続部片５ｂ側に近接して腕杆３の挟持操作（各部の接続操作）が確実に行われるようにしたものである。従って、実施形態の挟持片８（および該挟持片８と組合わせた接続ボルト９等との組合わせ）構造により、ナット１０（乃至接続ボルト９）を適宜緩めた状態におくと、上下の支持片４，５を腕杆３の長手（軸線）方向に移動させて腕杆３との関係で位置調節を行うことができる。
【００１２】
接続部片４ｂ，５ｂは、実施形態（図３）にあっては、下支持片５の接続部片５ｂが前方側すなわち挟持片８側に配してあるが、これとは逆に、上支持片４の接続部片５ｂが前方側（図３上左側）に配しても良いことは勿論である。
【００１３】
前記上支持片４は、上端部から下端部方向に次第に下降傾斜させた（上端側から下端側に至るに従って前記上支持線７から次第に離開する方向に傾斜させた）前記主体部片４ａの下端側に前記接続部片４ｂを設けて前記の通りクロージャ１の腕杆３に接続し、上端に取付部片４ｃを設けて前記上支持線７に第二の接続手段６Ａによって取付けてある。
【００１４】
第二の挟持手段６Ａは、前記挟持手段６と同構成の挟持片８と接続ボルト９およびナット１０によって構成して取付け部片４ｃを上支持線７に取付けたもので、前記接続手段６が、挟持片８と２枚の部材（上支持片４の接続部片４ｂと下支持片５の接続部片５ｂ）をボルト９とナット１０で接続（組付）するようにしたものであるに対し、１枚の部片（上支持片４の取付部片４ｃ）を取付ける（接続する）ようにした点が異なるだけで、同一符号で示す通り、残余の点は前記接続手段６と同様で、従って、ボルト９乃至ナット１０を適宜緩めることによって、上支持線７から脱落することなく、該上支持線７の軸線に沿って移動させ、位置調節ができるのである。
【００１５】
上支持片４は、クロージャ１の両側に突設した腕杆３と電柱間に架設した上支持線７との間に介在して腕杆３乃至上支持線７を挟持片８で挟持して支持線７，７´間にして支持線７，７´の前方に離開させて配したクロージャ１の、いわば上側支持腕を構成させたものである。
【００１６】
前記下支持片５は、下端部から上端部方向に次第に上昇傾斜させた（下端側から上端側に至るに従って前記上支持線７のほぼ直下に存する前記下支持線から次第に前方に離開する方向に傾斜させた）前記主体部片５ａの上端側に前記接続部片５ｂを設けて、前記の通り、クロージャ１の腕杆３に接続し、下端に取付部片５ｃを設けて前記した支持線７´に第三の接続手段６Ｂによって取付けたものである。
【００１７】
第三の接続手段６Ｂは、第二の接続手段６Ａと同様に、前記接続手段６と同構成の挟持片８と接続ボルト９およびナット１０によって構成して取付部片５ｃを下支持線７´に取付けたもので、第二の接続手段６Ａと同様に、１枚の部片（下支持片５の取付部片５ｃ）を挟持片８と（並びに下支持線７´）取付けるようにした点が接続手段６と異なるだけで、残余の点は、同一符号で示す通り同様なので説明は省略する。
【００１８】
下支持片４は、クロージャ１の両側に突設した腕杆３と電柱杆に介在した支持線７´との間に介在して腕杆３乃至下支持線７´を挟持片８とで挟持して支持線７，７´間に該支持線７，７´より離開させて配したクロージャ１の、いわば下側支持腕と成るものである。
【００１９】
なお、実施形態は、上下の支持片４，５を同形態のものを反転して用いるようにして在庫管理の省力化を図っているが、両支持４，５は互いに異形態のものを用いても不都合はない。
【００２０】
実施形態の装置を得るには、クロージャ１の両側に突設した腕杆３，３のそれぞれに上下の支持片４，５を一端側の接続部片４ｂ，５ｂにおいて挟持片８とボルト９およびナット１０を用いて仮接続する一方、上下の支持片４，５の他の一端側の取付部片４ｃ，５ｃにボルト９およびナット１０を用いて挟持片８をそれぞれ組付けておき、支持線７，７´位置に配して、クロージャ１部を支持線７，７´間位置に配するようにして、上支持片４側の取付部片４ｃと挟持片８との間に上支持線７が、また、下支持片５側の取付部片５ｃと挟持片８との間に下支持線７´がそれぞれ介在させて当該ボルト９乃至ナット１０を適度に締めて、支持線７，７´や腕杆３に沿わせて各接続手段６，６Ａ，６Ｂ部を移動、位置調節した後、各ボルト９乃至各ナット１０を締付けることにより、クロージャ１は上下の支持線７，７´に支持された形態で電柱Ｄ近傍に設置される。
【００２１】
【発明の効果】
本発明は前記の通りの構成であるから、クロージャを支持線より離開させて安定して配することができ、従って、接続端子函などの設置機器と支持線直交方向に重ね合わせて設置することができるから、前記設置機器を利用した作業を支障なく行うことができる。
【００２２】
また、上下の支持線間に介在させて設置するものであるから、設置状態が上下の支持線間のスペーサとしても機能し、風圧による支持線間の無用な接触も回避できるものである。
【図面の簡単な説明】
【図１】正面図。
【図２】図１の一部拡大欠截図。
【図３】図２の一部欠截側面図。
【図４】一部の斜視図。
【符号の説明】
１      クロージャ
４      上支持片
５      下支持片
６，６Ａ，６Ｂ      接続手段
７      上支持線
７´    下支持線
【図１】
2004274969.tif 000003
【図２】
2004274969.tif 000004
【図３】
2004274969.tif 000005
【図４】
2004274969.tif 000006